(57)【要約】【課題】  不正な複写が行われるのを防止することができる画像処理装置を提供する。【解決手段】  原稿画像を読み取るスキャナ部１１と、原稿に埋め込まれた複写禁止情報を検出する複写禁止情報検出部１４と、複写禁止情報を検出した回数をカウントし、カウント値が所定値以上となった場合に、装置動作を停止させる制御部１６とを有する構成している。不正な複写が何回も行われることによって、複写禁止情報の脆弱性を発見され、複写禁止原稿が複写されるのを防止することができる。【選択図】        図１
2007166343.tif 000002
【特許請求の範囲】
【請求項１】
原稿画像を読み取る読取手段と、
前記原稿に埋め込まれた、原稿の複写を制限する複写制御情報を検出する検出手段と、
前記複写制御情報を検出した回数をカウントし、該カウント値が所定値以上となった場合に、装置の動作や状態の変更を行なう制御手段と、
を有することを特徴とする画像処理装置。
【請求項２】
前記装置の動作や状態の変更は、装置動作の停止、複写制御情報ありと判定する判定しきい値を変更する、警告手段によって警告表示又は警告音によって操作者に警告する、前記画像処理装置を管理する管理装置に通知手段によって不正な操作が行われている旨を通知する、の少なくとも１つを含むことを特徴とする請求項１記載の画像処理装置。
【請求項３】
前記検出手段は、原稿に埋め込まれている該原稿の識別情報を検出し、
前記制御手段は、前記識別情報ごとに、前記複写制御情報を検出した回数をカウントすることを特徴とする請求項１記載の画像処理装置。
【請求項４】
前記制御手段は、前記カウント値が更新された日時を記憶手段にログとして格納することを特徴とする請求項１から３のいずれか一項記載の画像処理装置。
【請求項５】
前記制御手段は、前記原稿画像の出力を禁止してから所定時間が経過した場合、パスワードが入力された場合、装置が再起動された場合の少なくとも１つの条件が満たされると、前記カウント値をゼロクリアする、又は前記装置動作を回復させることを特徴とする請求項１記載の画像処理装置。
【請求項６】
原稿画像を読み取るステップと、
前記原稿に埋め込まれた、原稿の複写を制限する複写制御情報を検出するステップと、
前記複写制御情報を検出した回数をカウントし、該カウント値が所定値以上となった場合に、装置動作を停止させるステップと、
を有することを特徴とする画像処理方法。
【請求項７】
前記原稿画像に埋め込まれている該原稿の識別情報を検出するステップと、
前記識別情報ごとに、前記複写制御情報を検出した回数をカウントし、該カウント値が所定値以上となった場合に、装置動作を停止させるステップを有することを特徴とする請求項６記載の画像処理方法。
【発明の詳細な説明】
【技術分野】
【０００１】
本発明は、原稿画像の無断コピーを防止した画像処理装置及び画像処理方法に関する。
【背景技術】
【０００２】
近年、パーソナルコンピュータやプリンタ、複写機など、複写機能を持つ画像処理装置の普及により、書類を複製することが極めて簡単になっている。このような状況においては、著作権が付与された原稿、あるいは“コピー禁止”、“複製厳禁”、“マル秘”などといった無断複製の禁止が要求される原稿（以下まとめて“機密原稿”ともいう）に対しても容易にコピーが行われてしまうという欠点がある。換言すれば、文字列、図形、表、グラフなどを含む原稿画像であって、重要情報が漏洩することを防止する必要がある、いわゆる“機密原稿”の印刷出力（プリントアウト）の不正複製による重要情報（機密内容）の漏洩ということが問題となってきている。したがって、複写機能を持つ画像処理装置には、機密原稿の悪用複製を防止する機能を持たせることが必要である。
【０００３】
例えば、特許文献１では、複写禁止情報（コピー禁止とするか否か）、複写許可条件情報（条件が合致する場合にはコピーを許可するための情報）、潜像情報（コピーすると浮き上がる潜像に関する情報）等の付加情報を画像データの背景地紋パターンとして記録しておいて、コピー可能なユーザを制限する技術を開示している。
【０００４】
【特許文献１】特開２００３−２８３７９０号公報
【発明の開示】
【発明が解決しようとする課題】
【０００５】
しかしながら、付加情報の読取精度は、原稿画像に大きく左右されるため、原稿によっては、セキュリティホールが存在し、何度か複写を試みるうちに不正な複写が実行されてしまう場合も考えられる。
【０００６】
本発明は上記事情に鑑みてなされたものであり、不正な複写が行われるのを防止することができるが画像処理装置および画像処理方法を提供する。
【課題を解決するための手段】
【０００７】
かかる目的を達成するために本発明の画像処理装置は、原稿画像を読み取る読取手段と、前記原稿に埋め込まれた、原稿の複写を制限する複写制御情報を検出する検出手段と、前記複写制御情報を検出した回数をカウントし、該カウント値が所定値以上となった場合に、装置の動作や状態の変更を行なう制御手段とを有する構成としている。
このように本発明は、複写制御情報を検出した回数をカウントして、カウント値が所定値以上となると不正な読み取り動作が連続して行われていると判定し、装置の動作を停止させる。不正な複写が何回も行われることによって、複写制御情報の脆弱性を発見され、複写を制限された原稿が複写されるのを防止することができる。
【０００８】
上記画像処理装置において、前記装置の動作や状態の変更は、装置動作の停止、複写制御情報ありと判定する判定しきい値を変更する、警告手段によって警告表示又は警告音によって操作者に警告する、前記画像処理装置を管理する管理装置に通知手段によって不正な操作が行われている旨を通知する、の少なくとも１つを含むとよい。
【０００９】
上記構成の画像処理装置において、前記検出手段は、原稿に埋め込まれている該原稿の識別情報を検出し、前記制御手段は、前記識別情報ごとに、前記複写制御情報を検出した回数をカウントするとよい。
【００１０】
上記構成の画像処理装置において、前記制御手段は、前記カウント値が更新された日時を記憶手段にログとして格納するとよい。
【００１１】
上記構成の画像処理装置において、前記制御手段は、前記原稿画像の出力を禁止してから所定時間が経過した場合、パスワードが入力された場合、装置が再起動された場合の少なくとも１つの条件が満たされると、前記カウント値をゼロクリアする、又は前記装置動作を回復させるとよい。
【００１２】
本発明の画像処理方法は、原稿画像を読み取るステップと、前記原稿に埋め込まれた、原稿の複写を制限する複写制御情報を検出するステップと、前記複写制御情報を検出した回数をカウントし、該カウント値が所定値以上となった場合に、装置動作を停止させるステップとを有している。
【００１３】
上記画像処理方法において、前記原稿画像に埋め込まれている該原稿の識別情報を検出するステップと、前記識別情報ごとに、前記複写制御情報を検出した回数をカウントし、該カウント値が所定値以上となった場合に、装置動作を停止させるステップを有するとよい。
【発明の効果】
【００１４】
本発明は、複写禁止情報が付加されているにも関わらず、原稿が複写されるようなことがない。
【発明を実施するための最良の形態】
【００１５】
添付図面を参照しながら本発明の好適な実施例を説明する。
【実施例１】
【００１６】
まず、図１を参照しながら本実施例の画像処理装置１の構成を説明する。本実施例の画像処理装置１は、画像展開部１０と、スキャナ部１１と、スキャン画像処理部１２と、画像蓄積部１３と、付加情報検出装置１００としての複写禁止情報検出部１４と複写許可条件情報検出部１５と、制御部１６と、背景地紋画像生成部１７と、画像合成部１８と、プリント部１９と、ユーザインターフェース部２０とを備えている。
【００１７】
画像展開部１０は、ＬＡＮ等のネットワークを介して、プリント記述言語（ＰＤＬ）で記述されたプリントデータを入力する。画像展開部１０は、入力したプリントデータの展開処理を行って、画像データを生成する。生成された画像データは画像蓄積部１３に出力され蓄積される。
【００１８】
スキャナ部１１は、プラテンガラス上に置かれた原稿を読み取り、読み取った画像データをスキャン画像処理部１２に出力する。
【００１９】
スキャン画像処理部１２は、入力した画像データに対して、色補正、色空間変換、スクリーン処理等を行い、画像処理後の画像データを画像蓄積部１３に蓄積する。
【００２０】
画像合成部１８は、画像蓄積部１３から画像データを読み出してプリント部１９に出力する。また、制御部１６によって背景地紋画像を合成するように設定されている場合、画像蓄積部１３からの画像データの読み出しに同期して、画像合成部１８内のメモリに蓄積された背景地紋画像データを読み出して、画像データの所定の色プレーンに論理和（ＯＲ）合成を行い、合成画像データをプリント部１９へ出力する。プリント部１９は、画像合成部１８から出力される合成画像データ、または画像データを用紙上に記録する。
【００２１】
本実施例の画像処理装置は、背景地紋画像が埋め込まれた機密文書から、背景地紋画像に埋め込まれた付加情報を読み取って、許可されたユーザにだけ機密文書を印刷できるように構成されている。
背景地紋画像に埋め込まれる付加情報には以下のものがある。
（Ａ）・・・複写禁止情報（コピー禁止とするか否か）
（Ｂ）・・・複写許可条件情報（条件が合致する場合にはコピーを許可するための情報）
例えば、暗証番号、複写を許可するユーザＩＤ番号（社員番号等）、複写禁止を解除する日時、複写を許可する複写機の機械番号
（Ｃ）・・・潜像情報（コピーすると浮き上がる潜像に関する情報）
例えば、潜像の文字列、フォント種類、フォントサイズ、潜像文字列の方向（角度）、背景地紋画像色
【００２２】
ここで、背景地紋画像について図２を参照しながら詳細に説明する。背景地紋画像は、潜像画像ＩＰと、出力画像Ｏの全面にわたる背景パターンＰＢとから構成される。
【００２３】
背景パターンＰＢと潜像画像ＩＰとは、それぞれを構成するパターンが異なる。しかし、人間の目には全面均一のグレイ背景として見える様に、単位面積あたりの画素面積及び画素色が同一なパターンにより出力画像Ｏを形成する。
【００２４】
潜像画像ＩＰは、複写された文書において、潜像画像ＩＰが人間の目で識別できる程度に画像が浮かびあがるよう、他の部分のよりも細かいドットで構成されている。
【００２５】
背景パターンＰＢは、コードから構成される。コードは、任意のコードデータを表す条件コードＣＤと、複写を制限する禁複写コードＣＰとから構成される。
【００２６】
コードは、任意のコードデータを表す斜線パターンＰＳから構成される。斜線パターンＰＳは、走査方向Ｄに対し反時計回りに４５度傾いた半直線で表されるものがコードデータのビット０を、１３５度傾いたものがコードデータのビット１を表す。
【００２７】
禁複写コードＣＰは、全斜線パターンＰＳがビット０を表すものとビット１を表すものとから構成される。禁複写コードＣＰは、２種類の禁複写コードＣＰを所定個数以上検出した場合に、複写が制限された原稿であると判断する為に使用される。
【００２８】
条件コードＣＤは、同期コード領域ＡＳとデータコード領域ＡＣとから構成される。
同期コード領域ＡＳとは、データコード領域ＡＣを囲む所定サイズの矩形領域の外周がすべてビット１を表す斜線パターンＰＳ１で構成されているコード領域を言う。
データコード領域には、暗証番号、複写を許可するユーザＩＤ番号（社員番号等）、複写禁止を解除する日時、複写を許可する複写機の機械番号等が符号化され、条件コードＣＤとして埋め込まれている。
【００２９】
次に、複写禁止情報検出部１４について図３を参照しながら説明する。図３には、複写禁止情報検出部１４の詳細な構成を示す。
スキャナ部１１から出力された画像データは、グレースケール変換部２１に入力され、フルカラーからグレースケールに変換される。その後、２値化処理部２２によって２値化される。
【００３０】
２値化された画像データは、ノイズ除去処理部２３に入力され、ノイズ除去処理が行われる。具体的には、黒画素が連結している画素塊を求め、その画素塊の大きさ（連結画素数）が所定の範囲に収まっていない画素塊の各画素を白画素に置き換える。上記所定の範囲は、斜線パターンは削除されず、それ以外のパターン（孤立ドットパターンや文書ン中の文字や図形等）が削除されるように適切な範囲が設定されている。
【００３１】
ノイズ除去された画像データは、パターン検出部２４に入力され、２種類の斜線パターンの検出処理が行われ、その結果が１画素２ビットの画像データとして出力される。具体的には、画像データ中の各画素の位置で図４（Ａ）、（Ｂ）のパターンを当てはめて、テンプレートマッチングによって検出を行う。ここで、図４に示すパターン（Ａ）が検出された場合、画素値０を出力し、図４に示すパターン（Ｂ）が検出された場合、画素値１を出力し、パターンが検出されない場合、画素値２を出力する。
【００３２】
パターン検出処理部２４から出力された画像データは、ブロック化処理部２５に入力される。ここで、ブロックサイズは、複写禁止コード、条件コードのサイズの半分よりも小さいサイズとし、コードの中に１個以上のブロックが完全に含まれるようなサイズに設定されている。ブロック化処理部２５は、入力された画像データを所定サイズのブロックに分割し、個数算出部２６に出力する。
【００３３】
個数算出部２６は、ブロック内に画素値０の画素の個数、および画素値１の画素をそれぞれ算出し、その結果を比率算出部２７へ出力する。また、その合計を判定処理部２８へ出力する。比率算出部２７は、画素値０の画素の比率を算出し、その結果を判定処理部２８へ出力する。
【００３４】
判定処理部２８は、個数算出部２６から入力された合計個数および比率算出部２７から入力された比率を元にして、判定処理を行う。
【００３５】
ここで、今処理しているブロックの内部が全ビット０の複写禁止コードの内部に位置している場合、ブロック内部には所定個数以上のビット０に対応する斜線パターンが検出され、かつビット１に対応する斜線パターンはほとんど検出されないため、ビット０に対応する斜線パターンの比率が高くほとんど１．０に近いはずである。
【００３６】
また、今処理しているブロックの内部が全ビット１の複写禁止コードの内部に位置している場合、ブロック内部には所定個数以上のビット１に対応する斜線パターンが検出され、かつビット０に対応する斜線パターンはほとんど検出されないため、ビット０に対応する斜線パターンの比率は低くほとんど０．０に近いはずである。
【００３７】
また、今処理しているブロックが条件コードの少なくとも一部を含む場合、ブロック内部には複数のビット０に対応する斜線パターンおよび複数のビット１に対応する斜線パターンが検出されるため、ビット０に対応する斜線パターンの比率は１．０よりもかなり低く、０よりもかなり高くなるはずである。
【００３８】
また、もし入力された画像データが複写禁止情報を埋め込まれた画像であれば、画像中には、ブロックの内部が全ビット０の複写禁止コードと、ブロックの内部が全ビット１の複写禁止コードとがそれぞれ複数個埋め込まれているはずである。
【００３９】
以上の特性を利用して、下記のような判定処理を行う。
合計個数＞第１しきい値、かつ、比率＞第２しきい値の場合は、そのブロックは複写禁止コード０と判定する。
合計個数＞第１しきい値、かつ。（１−比率）＞第２しきい値の場合は、そのブロックは複写禁止コード１と判定する。
上記以外の場合は、そのブロックは複写禁止コードではないと判定する。また、第１しきい値は、ブロックサイズとパターンサイズからブロックに含まれる値論的なパターン個数にマージンを加味して設定する。第２しきい値は、１．０に近い値を設定する。
【００４０】
判定処理部２８は、複写禁止コード０と判定されたブロック数、および複写禁止コード１と判定されたブロック数をそれぞれ別々にカウントする。複写禁止コード０と判定されたブロック数がしきい値３以上となり、かつ複写禁止コード０と判定されたブロック数がしきい値３以上となった場合、その画像を複写禁止文書と判定し、その判定結果を制御部１６へ出力する。
【００４１】
次に、複写許可条件情報検出部１５の詳細について図５を参照しながら説明する。
スキャナ部１１から出力された画像データは、グレースケール変換部３１に入力され、フルカラーからグレースケールに変換された後に、２値化処理部３２によって２値化される。
【００４２】
２値化された画像データはノイズ除去処理部３３に入力され、ノイズ除去処理３３が行われる。ノイズが除去された画像データは、パターン検出処理部３４に入力され、２種類の斜線パターンの検出処理が行われ、その処理結果のデータがバッファメモリ３５に格納される。この画像データは、ビット０に対応する斜線パターンが検出された位置の画素値は０、ビット１に対応する斜線パターンが検出された位置の画素値は１、それ以外は２の値を持った１画素２ビットの画像データとなっている。
【００４３】
バッファメモリ３５に格納された画像データは、スキュー角検出処理部３６に入力され、スキュー角度の検出が行われる。ここでは、入力画像データのスキュー角度を求める。具体的な方式としては、画素値０または１のみの画素のハフ変換を行い、その角度軸上への投影分布のピークを求めることによって行われる。求めたスキュー角度はコード検出部３７へ出力される。
【００４４】
また、バッファメモリ３５に格納された画像データが読み出されてコード検出部３７へ入力され、２次元コードの検出が行われる。具体的には、求めたスキュー角度に画像をスキャンして０または１の画素値（ビットの０または１に対応している）を取り出す。取り出されたビット列から同期コードを見つけ出す。同期コードは、所定の縦横サイズの矩形領域の外周がすべてビット１で構成されているコードとして定義されている。この同期コードに囲まれたビット配列が２次元コード（条件コード）となっている。このビット配列を１次元のビット列に並べ替えて誤り訂正復号部３８へ出力する。
【００４５】
誤り訂正復号部３８では、入力されたビット列に対して、所定の誤り訂正復号処理を行い、条件情報として復号する。復号された複写許可条件情報は制御部１６へ出力される。
【００４６】
次に、図６を参照しながら背景地紋画像生成部１７について説明する。
。背景地紋画像生成部１７には、制御部１６から付加情報（複写禁止情報、条件情報、潜像情報）が入力される。このうち複写禁止情報と複写許可条件情報は付加情報符号化部４２へ入力され、潜像情報は潜像生成部４１に入力される。
【００４７】
潜像生成部４１は、入力された潜像情報を元に潜像画像を生成する。潜像情報とは、パターン画像の中にどのような潜像文字を埋め込むかを示す情報であり、具体的には潜像の文字列、フォント種類、フォントサイズ、潜像文字列の方向（角度）等の情報からなる。潜像生成部４１は、潜像情報を受け取ると、指定されたフォント種類、フォントサイズで、指定された方向に潜像文字列の描画を行い、２値の潜像画像として生成する。生成した潜像画像は付加情報符号化部４２へ出力される。なお、潜像画像の解像度は、プリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。
【００４８】
付加情報符号化部４２は、入力された複写禁止情報及び条件情報の符号化を行う。まず、複写禁止情報がプリント出力を行った文書を画像処理装置で複写させないようにすること示す場合、図７（Ａ）、（Ｂ）に示す２種類の複写禁止コードを生成する。ここで、図７（Ａ）の複写禁止コードは、コード内部が全てビット０となっており、図７（Ｂ）の複写禁止コードは、コード内部が全てビット１となっていることが特徴である。複写禁止情報が入力されない場合、もしくはプリント出力を行った文書を画像処理装置で複写させないようにすることを示すものではない場合、図７（Ａ）および（Ｂ）に示す２種類のコードの生成は行われない。
【００４９】
次に、条件情報が入力されている場合、その条件情報に対して誤り訂正符号を行い、図７（Ｃ）に示すような条件コードを生成する。図７（Ｃ）のコードは、ビット０およびビット１の配列によって、符号化された条件情報のビット列を表している。コードの外周は、コードの位置決めを容易にするために特殊なビットパターンとなっている。
【００５０】
次に、生成したコードを図８（Ａ）に示すように複数個繰り返し配置し、潜像画像の大きさと同じ大きさのパターン番号配列を生成する。ここで、図の斜線ハッチングされた矩形が図７（Ａ）の複写禁止コード、縦線ハッチングされた矩形が図７（Ｂ）の複写禁止コード、ドットハチングされた矩形が図７（Ｃ）の条件コードとなっている。もし、複写禁止コードが生成されなかった場合には、図中の複写禁止コードの部分には条件コードを配置する。また、もし条件コードが生成されなかった場合には、図中の条件コードの部分には複写禁止コードを配置する。この時点で、パターン番号配列の各要素の値は０または１になっている。
【００５１】
次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、条件コードが並べて配置された背景にパターン番号２で潜像文字が描かれた状態となる。この状態を図８（Ｂ）に示す。図中の黒色の「COPY」の部分が、パターン配列番号を２に変更された部分を示す。このパターン番号配列をパターン画像生成部４４へ出力する。
【００５２】
パターン画像生成部４４は、入力されたパターン番号配列の各要素を参照し、そのパターン番号に対応したパターンをパターン格納部４３から読み出してパターン画像に変換することで、背景地紋画像を生成する。生成された背景地紋画像は、画像合成部１８内のメモリ（不図示）に格納される。
【００５３】
本実施例は、複写禁止情報を検出した回数をカウントして、このカウント値が所定値以上となると、不正な読み取り動作が連続して行われていると判定し、装置の動作を停止させる。不正なコピーが何回も行われることによって、複写禁止情報の脆弱性を発見され、複写禁止原稿が複写されるのを防止する。
【００５４】
本実施例の手順を図９に示すフローチャートを参照しながら説明する。
なお、このフローでは、複写禁止情報を検出したカウント値と比較する設定値を以下のように設定しているが、この設定値はあくまでも一例であってこの限りではない。
設定値１＝２０、設定値２＝１５、設定値３＝１０、設定値４＝５
【００５５】
まず、プラテンガラス（不図示）上に置かれた原稿画像をスキャナ部１１で読み取る（ステップＳ１）。読み取られた画像データは、スキャナ画像処理部１２によって処理されると共に、複写禁止情報検出部１４で複写禁止情報の検出が行われる。制御部１６は、複写禁止情報検出部１４によって複写禁止情報を検出すると（ステップＳ２）、カウンタの値を１インクリメントする（ステップＳ３）。
【００５６】
次に、制御部１６は、カウンタのカウント値と、設定値とを比較する。
設定値１は「２０」に設定されている。カウンタの値が設定値１よりも大きくなると（ステップＳ４／ＹＥＳ）、制御部１６は、スキャナ部１１と、プリント部１９の動作を停止させてロックし、機器管理者の端末に不正な操作が行われているとの通報を行う（ステップＳ５）。図１０（Ａ）には、ユーザインターフェース部２０に表示される表示例を示す。
またカウント値が設定値２（＝１５）よりも大きくなると（ステップＳ６／ＹＥＳ）、制御部１６は、判定しきい値を「０」に変更し、機器管理者の端末に不正な操作が行われている可能性があることと、判定しきい値を変更したことを通知する（ステップＳ７）。判定しきい値は、複写禁止情報ありと判定する禁複写コードＣＰの検出回数を示すものである。判定しきい値を「０」に設定すると、スキャナ部１１で読み込んだ画像データは、すべて複写禁止の画像データであると判定される。
【００５７】
またカウント値が設定値３（＝１０）よりも大きくなると（ステップＳ８／ＹＥＳ）、制御部１６は、判定しきい値を「４」に変更し、機器管理者の端末に不正な操作が行われている可能性があることと、判定しきい値を変更したことを通知する（ステップＳ９）。また、制御部１６は、判定しきい値を変更した時間の履歴をログとして記録しておくとよい。また、判定しきい値の変更は、ルックアップテーブルを利用してもよいし、例えば、変更前の判定しきい値の１／２の値に変更する等して、制御部１６が計算によって算出してもよい。
【００５８】
さらに、カウント値が設定値４（＝５）よりも大きくなると（ステップＳ１０／ＹＥＳ）、制御部１６は、操作者への警告をユーザインターフェース部のモニタに表示し、警告音を鳴らす（ステップＳ１１）。図１０（Ｂ）には、ユーザインターフェース部２０に表示される表示例を示す。
【００５９】
またカウンタのカウント値は、所定条件が満たされる場合にクリアする。例えば、カウンタのカウントアップから所定時間を経過した場合、パスワードが操作部から入力された場合、装置が再起動された場合などにカウント値をクリアすることができる。カウンタがカウントアップされた時間を記録しておいて、更新時間から所定時間経過するとカウンタの値をクリアすることで、複写禁止情報の検出を短時間内に複数回検出した場合にだけ対応することができる。また、画像処理装置のロック状態の解除や、変更された判定しきい値のリセットは、所定時間を経過した場合、パスワードが入力された場合、装置が再起動された場合などに行うとよい。
【００６０】
次に本発明の第２実施例について説明する。
本実施例は、原稿に埋め込まれている原稿特定情報を検出して、原稿ごとに複写禁止情報を検出した回数をカウントする。原稿ごとに複写禁止情報を検出した回数をカウントしているので、複写禁止情報を検出した回数を原稿ごとに管理することができる。従って、原稿ごとに不正な操作が行われた回数を検出して、警告や出力禁止に設定することができる。
【００６１】
なお、原稿を特定する情報として、文書タイトル、文書ＩＤ、ページ番号、プリント時間、原稿を出力したプリンタや、原稿を作成したＰＣのメーカー名、機種、型番、ＭＡＣアドレス、ＩＰアドレス、ユーザＩＤ、パスワードなどが該当する。
【００６２】
また、カウンタは、検出した特定情報ごとに設ける。また、用意しているカウンタでは原稿の数に対応しきれない場合には、更新日時の最も古いカウンタのカウント値をクリアして、新たに検出した原稿のカウントを開始させる。
【００６３】
本実施例の制御手順を図１１に示すフローチャートを参照しながら説明する。
原稿画像をスキャンし、複写禁止情報検出部１４で複写禁止情報を検出するまでの手順は、図９示す手順と同一であるので説明を省略する。制御部１６は、複写禁止情報検出部１４によって複写禁止情報を検出すると、複写許可条件情報検出部１５によって検出された複写許可条件情報を解析し、原稿を特定する特定情報を検出する（ステップＳ２３）。特定情報を検出することができるなかった場合には（ステップＳ２３／ＮＯ）、原稿を特定することができなかった時に使用されるカウンタの値を１インクリメントする（ステップＳ２５）。また、特定情報を検出することができた場合には（ステップＳ２３／ＹＥＳ）、その特定情報に対応付けしたカウンタのカウント値を１インクリメントする（ステップＳ２４）。
【００６４】
以降、上述したフローと同様に、カウント値と設定値を比較して、カウント値が設定値を超えると、管理者への通報、判定しきい値の変更、原稿のプリント出力を停止する。
【００６５】
また、本実施例の変形例として図１２のフローチャートに示すように、カウンタのカウント値をカウントアップする前に、最後に更新した日時からの経過日時を算出し（ステップＳ４６）、算出した日時が設定値を超えていた場合には（ステップＳ４６／ＹＥＳ）、カウンタのカウント値をリセット（ステップＳ４７）してからカウントアップするようにしてもよい。このようにすることで、連続して複写禁止情報を検出した回数を正確にカウントすることができる。
【００６６】
上述した実施例は本発明の好適な実施例である。但し、これに限定されるものではなく、本発明の要旨を逸脱しない範囲内において種々変形実施可能である。
【図面の簡単な説明】
【００６７】
【図１】画像処理装置の構成を示すブロック図である。
【図２】背景地紋画像を示す図である。
【図３】複写禁止情報検出部の構成を示すブロック図である。
【図４】テンプレートマッチングに使用される画像の一例を示す図である。
【図５】複写許可条件情報検出部の構成を示すブロック図である。
【図６】背景地紋画像生成部の構成を示すブロック図である。
【図７】複写禁止情報及び条件情報を示す図である。
【図８】パターン番号配列を示す図である。
【図９】制御部１６の動作手順を示すフローチャートである。
【図１０】表示画面の表示例を示す図である。
【図１１】制御部１６の他の動作手順を示すフローチャートである。
【図１２】制御部１６の他の動作手順を示すフローチャートである。
【符号の説明】
【００６８】
１  画像処理装置
１０  画像展開部
１１  スキャナ部
１２  スキャン画像処理部
１３  画像蓄積部
１４  複写禁止情報検出部
１５  複写許可条件情報検出部
１６  制御部
１７  背景地紋画像生成部
１８  画像合成部
１９  プリント部
２０  ユーザインターフェース部
【図１】
2007166343.tif 000003
【図２】
2007166343.tif 000004
【図３】
2007166343.tif 000005
【図４】
2007166343.tif 000006
【図５】
2007166343.tif 000007
【図６】
2007166343.tif 000008
【図７】
2007166343.tif 000009
【図８】
2007166343.tif 000010
【図９】
2007166343.tif 000011
【図１０】
2007166343.tif 000012
【図１１】
2007166343.tif 000013
【図１２】
2007166343.tif 000014